(57)【要約】      （修正有）【課題】チャンバの底部に滅菌ヒータを配置する構成に替えて、外部のボイラで発生させ高温蒸気をチャンバ内へ注入する高温蒸気注入方式とすることによって、ボイラの効率的な運転を行なうことと、速やかに蒸気滅菌器による滅菌動作の開始ができる技術を提供する。【解決手段】電気ヒータによってチャンバ内へ注入する高温蒸気を発生させるボイラを備え、滅菌モードの開始によって、ボイラから高温蒸気をチャンバ内へ注入し、チャンバ内の被滅菌物を高温蒸気下で滅菌工程を実行した後、チャンバ内を排気乾燥する排気乾燥工程を実行する蒸気滅菌器において、省エネモードとスピードモードを備え、省エネモードでは、滅菌工程の終了にて電気ヒータの通電を滅菌モードの運転終了までＯＦＦ状態とし、スピードモードでは、滅菌工程の終了にて電気ヒータの通電を滅菌モードの運転終了までＯＮ・ＯＦＦ制御にて所定発熱状態とすること。【選択図】図１
2012050505.tif 000002
【特許請求の範囲】
【請求項１】
収納された被滅菌物を高温蒸気下で滅菌するチャンバと、電気ヒータの通電によって前
記チャンバ内へ注入する高温蒸気を発生させるボイラを備え、滅菌モードの開始によって
、前記ボイラから高温蒸気を前記チャンバ内へ注入し、前記チャンバ内の被滅菌物を高温
蒸気下で滅菌工程を実行した後、前記チャンバ内を排気乾燥する排気乾燥工程を実行する
蒸気滅菌器において、省エネモードとスピードモードを備え、前記省エネモードでは、前
記滅菌工程の終了にて前記電気ヒータの通電を前記滅菌モードの運転終了までＯＦＦ状態
とし、前記スピードモードでは、前記滅菌工程の終了にて前記電気ヒータの通電を前記滅
菌モードの運転終了までＯＮ・ＯＦＦ制御にて所定発熱状態とすることを特徴とする蒸気
滅菌器。
【請求項２】
収納された被滅菌物を高温蒸気下で滅菌するチャンバと、電気ヒータの通電によって前
記チャンバ内へ注入する高温蒸気を発生させるボイラを備え、滅菌モードの開始によって
、前記ボイラから高温蒸気を前記チャンバ内へ注入し、前記チャンバ内の被滅菌物を高温
蒸気下で滅菌工程を実行した後、前記チャンバ内を排気乾燥する排気乾燥工程を実行する
蒸気滅菌器において、省エネモードとスピードモードを備え、前記省エネモードでは、前
記電気ヒータは、前記滅菌工程中は連続通電であり、前記滅菌工程の終了から前記滅菌モ
ードの運転終了までＯＦＦ状態であり、前記スピードモードでは、前記滅菌工程中は連続
通電であり、前記滅菌工程の終了にて前記電気ヒータの通電を前記滅菌モードの運転終了
までＯＮ・ＯＦＦ制御にて所定発熱状態とすることを特徴とする高圧蒸気滅菌器。
【発明の詳細な説明】
【技術分野】
【０００１】
本発明は、主として病院等に設置して医療用器具等の被滅菌物を高圧蒸気下で滅菌する
蒸気滅菌器に関する。
【背景技術】
【０００２】
高温蒸気滅菌器の一つとして、滅菌器本体内に設けた前面開口のチャンバと、このチャ
ンバの内底部に配置した滅菌ヒータと、このチャンバの前面開口を密閉する蓋を備え、チ
ャンバ内に収納された被滅菌物を高温蒸気下で滅菌する蒸気滅菌器がある。この蒸気滅菌
器は、チャンバ内に被滅菌物を収納して蓋を閉じた状態で、タイマをセットした後、スタ
ートキー（スタートボタン）のＯＮによって滅菌モードの運転を開始し、真空ポンプによ
ってチャンバ内を真空にする予備真空工程と共に、チャンバの外周に取り付けた乾燥ヒー
タにてチャンバ壁を加熱する予備加熱工程を行う。次に真空ポンプと乾燥ヒータへの通電
を停止し、注水工程にてチャンバ内底部に水を注入し、上記予備真空工程の後、注入され
た水を滅菌ヒータによって加熱蒸発させる加熱工程を経て、被滅菌物を高温蒸気下で滅菌
する滅菌工程を行なう。滅菌工程の終了によってチャンバ内の排水と排気の排水排気工程
を行ない、次いで乾燥ヒータに通電して被滅菌物やチャンバ内を乾燥させる乾燥工程を行
なう。（特許文献１参照）。
【先行技術文献】
【特許文献】
【０００３】
【特許文献１】特開２００５−１４３９９８号公報
【発明の概要】
【発明が解決しようとする課題】
【０００４】
このように、チャンバの底部に配置した滅菌ヒータによって、チャンバ内へ注入した水
を加熱蒸発させて、被滅菌物を高温蒸気下で滅菌するが、滅菌ヒータはシーズヒータをチ
ャンバの内底部に水平状態に配置する構成であるため、被滅菌物を収容する容積を所定の
大きさとするためには、滅菌ヒータの配置容積分だけ大きいチャンバとしなければならず
、チャンバが大型化することが懸念され、チャンバの小型化には問題を残す。また、蒸気
滅菌器によって滅菌動作を繰り返し行なうことによって、汚れがシーズヒータとチャンバ
の内底面との狭い間に溜まるが、この部分の清掃がし難い問題がある。
【０００５】
このような問題を解決するためには、チャンバの底部に滅菌ヒータを配置する構成に替
えて、外部のボイラで発生させた高温蒸気をチャンバ内へ注入する高温蒸気注入方式とす
ることが考えられる。この高温蒸気注入方式を採用すれば、上記の問題は解決するため、
本発明では、この高温蒸気注入方式において、ボイラの効率的な運転を行なうことと、速
やかに蒸気滅菌器による滅菌動作の開始ができる技術を提供するものである。
【課題を解決するための手段】
【０００６】
第１発明の蒸気滅菌器は、収納された被滅菌物を高温蒸気下で滅菌するチャンバと、電
気ヒータの通電によって前記チャンバ内へ注入する高温蒸気を発生させるボイラを備え、
滅菌モードの開始によって、前記ボイラから高温蒸気を前記チャンバ内へ注入し、前記チ
ャンバ内の被滅菌物を高温蒸気下で滅菌工程を実行した後、前記チャンバ内を排気乾燥す
る排気乾燥工程を実行する蒸気滅菌器において、省エネモードとスピードモードを選択す
る選択手段を備え、前記省エネモードでは、前記滅菌工程の終了にて前記電気ヒータの通
電を前記滅菌モードの運転終了までＯＦＦ状態とし、前記スピードモードでは、前記滅菌
工程の終了にて前記電気ヒータの通電を前記滅菌モードの運転終了までＯＮ・ＯＦＦ制御
にて所定発熱状態とすることを特徴とする。
【０００７】
第２発明の蒸気滅菌器は、収納された被滅菌物を高温蒸気下で滅菌するチャンバと、電
気ヒータの通電によって前記チャンバ内へ注入する高温蒸気を発生させるボイラを備え、
滅菌モードの開始によって、前記ボイラから高温蒸気を前記チャンバ内へ注入し、前記チ
ャンバ内の被滅菌物を高温蒸気下で滅菌工程を実行した後、前記チャンバ内を排気乾燥す
る排気乾燥工程を実行する蒸気滅菌器において、省エネモードとスピードモードを選択す
る選択手段を備え、前記省エネモードでは、前記電気ヒータは、前記滅菌工程中は所定の
温度で通電を制御し、前記滅菌工程の終了から前記滅菌モードの運転終了までＯＦＦ状態
であり、前記スピードモードでは、前記滅菌工程中は所定の温度で通電を制御し、前記滅
菌工程の終了にて前記電気ヒータの通電を前記滅菌モードの運転終了までＯＮ・ＯＦＦ制
御にて所定発熱状態とすることを特徴とする。
【発明の効果】
【０００８】
本発明では、シーズヒータがチャンバ内底部に存在しないので、チャンバの小型化に適
すると共に、チャンバ内底部の清掃がし易くなる。そして、省エネモードとスピードモー
ドを選択可能とすることにより、使用者の使い勝手が向上する。このため、被滅菌物の滅
菌工程を１回行なう場合には、省エネモードを選択することにより、滅菌工程の終了にて
ボイラは稼動休止状態となるため、電気ヒータの消費電力軽減によって、省エネ効果が期
待できる。一方、被滅菌物の滅菌工程を連続して行なう場合には、スピードモードを選択
することにより、引き続いて滅菌モードが実行されても、チャンバ内を所定の高温蒸気下
に保つことができることとなり、連続してすばやく滅菌工程を実行できるものとなる。
【図面の簡単な説明】
【０００９】
【図１】本発明に係る蒸気滅菌器の配管系統の構造図である。
【図２】本発明に係る蒸気滅菌器の省エネモードにおける工程動作図である。
【図３】本発明に係る蒸気滅菌器のスピードモードにおける工程動作図である。
【図４】本発明に係る蒸気滅菌器の制御ブロック図である。
【発明を実施するための形態】
【００１０】
本発明の蒸気滅菌器は、収納された被滅菌物を高温蒸気下で滅菌するチャンバと、電気
ヒータの通電によって前記チャンバ内へ注入する高温蒸気を発生させるボイラを備え、滅
菌モードの開始によって、前記ボイラから高温蒸気を前記チャンバ内へ注入し、前記チャ
ンバ内の被滅菌物を高温蒸気下で滅菌工程を実行した後、前記チャンバ内を排気乾燥する
排気乾燥工程を実行する蒸気滅菌器において、省エネモードとスピードモードを選択する
選択手段を備え、前記省エネモードでは、前記滅菌工程の終了にて前記電気ヒータの通電
を前記滅菌モードの運転終了までＯＦＦ状態とし、前記スピードモードでは、前記滅菌工
程の終了にて前記電気ヒータの通電を前記滅菌モードの運転終了までＯＮ・ＯＦＦ制御に
て所定発熱状態とするものであり、以下に、その実施例を記載する。
【実施例１】
【００１１】
本発明の実施例を図面に基づいて説明する。先ず図１において、本発明の蒸気滅菌器１
は、蒸気滅菌器１の本体構成の外ケース１Ａの内部に、医療用器具等の被滅菌物３を棚６
に載置し収納して滅菌処理等を行う円筒状のチャンバ４を収納配置している。チャンバ４
の前面開口２は、開閉自在な蓋７にて閉塞される。チャンバ４の壁を加熱するために、チ
ャンバ４の外周面にバンド状の乾燥ヒータ５が装着されている。
【００１２】
外ケース１Ａの内部には、蒸気発生用ボイラ８、真空ポンプ９、貯水タング１０、制御
手段１１等を配置している。蒸気発生用ボイラ８は、電気で発熱するシーズヒータ構成の
ボイラ用電気ヒータ１４を内部に配置している。蒸気発生用ボイラ８には、貯水タング１
０の水が注水電磁弁Ｖ５で開閉される注水管１２を通って供給され、この水をボイラ用電
気ヒータ１４で加熱し、発生した高温蒸気が、蒸気投入用電磁弁Ｖ６で開閉される蒸気供
給管１３を通ってチャンバ４へ供給される。
【００１３】
真空ポンプ９は、チャンバ４の内部の空気及び蒸気発生用ボイラ８の内部の空気を排出
する真空工程を実行するためのものであり、チャンバ真空電磁弁Ｖ２で開閉されるチャン
バ排気管１５がチャンバ４と真空ポンプ９に連通し、ボイラ真空電磁弁Ｖ１で開閉される
ボイラ排気管１６がボイラ８と真空ポンプ９に連通している。真空ポンプ９からの排気は
、排気管１７から貯水タング１０の水面上の空間に放出される。
【００１４】
制御手段１１は、図示しないマイクロコンピュータを中心に構成し、電源スイッチＳＷ
によって電源がＯＮ／ＯＦＦされ、省エネモード選択スイッチ２５及びスピードモード選
択スイッチ２６からに信号に基づき滅菌モードを開始し、チャンバ４内の温度を検出する
温度センサ１８の検出温度、圧力センサ１９の検出圧力、並びに予め設定されたプログラ
ムに従って、真空ポンプ９、乾燥ヒータ５、ボイラ用電気ヒータ１４及び各電磁弁Ｖ１〜
Ｖ7等への通電を制御し、また、外ケース１Ａの適所に設けた操作パネル２０に配置した
デジタル表示２１、複数のチャンバ工程表示ランプ２２、複数のボイラ工程表示ランプ２
３、滅菌工程時間を表示する滅菌タイマセグメント２４等の制御を行うものである。
【００１５】
この実施例では、滅菌モードのスタートは、省エネモード選択スイッチ２５、またはス
ピードモード選択スイッチ２６のいずれかがＯＮしたときに行われるように構成している
。このため、省エネモード選択スイッチ２５をＯＮ操作することにより、滅菌モードを省
エネモードでスタートさせる構成では、省エネモード選択スイッチ２５をスタートスイッ
チ２５と称することもできる。また、スピードモード選択スイッチ２６のＯＮ操作により
、滅菌モードをスピードモードでスタートさせる構成では、スピードモード選択スイッチ
２６をスタートスイッチ２６と称することもできる。また、この形態に替わって、省エネ
モードとスピードモードの選択手段として、省エネモード選択スイッチ２５とスピードモ
ード選択スイッチ２６を備え、この選択操作の後に、滅菌モードをスタートさせるスター
トスイッチＳＴを設けた構成でもよい。以下の実施例では、このスタートスイッチＳＴを
設けた構成で説明することとするが、前者の方式では、省エネモードでのスタートスイッ
チＳＴのＯＮは、省エネモード選択スイッチ２５のＯＮと同様であり、スピードモードで
のスタートスイッチＳＴのＯＮは、スピードモード選択スイッチ２６のＯＮと同様である
。
【００１６】
次に、滅菌モードが省エネモードで行われる場合の動作を図２に基づき説明する。（い
）にはチャンバ４側の工程を示しており、（ろ）にはボイラ８側の工程を示している。操
作に際しては、先ず、Ｔ１時点で電源スイッチＳＷをオン（ＯＮ）操作することにより、
（い）（ろ）のようにスタンバイ状態となる。（ほ）のメインリレーは、制御手段１１の
メイン回路をＯＮ状態とするリレーを意味する。そして、（た）のようにデジタル表示２
１に「スタンバイ」の文字表示がされる。この状態で、１回目の滅菌を行うために、被滅
菌物３をチャンバ４内に入れ、蓋７を閉じる。この状態で、Ｔ２時点で省エネモード選択
スイッチ２５をオン（ＯＮ）操作して省エネモードを選択した後、スタートスイッチＳＴ
をＯＮ操作することにより、滅菌モードが開始する。
【００１７】
この開始により、（ろ）のようにボイラ８側は、後に行う蒸気発生にてボイラ８内を飽
和蒸気とするために、ボイラ８内を真空とする予備真空工程となる。この予備真空工程で
は、（よ）のようにブザーがピピッと鳴り、且つ（わ）のようにボイラ真空電磁弁Ｖ１が
ＯＮ（通電にて弁が開くこと、以下他の電磁弁も同じ））すると共に、（か）のように真
空ポンプ９がＯＮ（通電にて運転）し、ボイラ排気管１６を通してボイラ８内の空気が排
気される。ボイラ８側の予備真空工程は、（そ）のように「ボイラ予備真空」の文字に対
応配置のボイラ工程表示ランプ２３が点灯する。
【００１８】
そしてＴ３時点で、ボイラ８側は、上記予備真空工程が終了すると共に注水工程となる
。この注水工程では、（わ）のようにボイラ真空電磁弁Ｖ１がＯＦＦ（非通電にて弁が閉
じること、以下他の電磁弁も同じ）すると共に、（り）のように注水電磁弁Ｖ５が一定時
間ＯＮして貯水タンク１０の水が注水管１２を通ってボイラ８へ注水される。そして（り
）のように注水電磁弁Ｖ５がＯＦＦしてこの注水が終了した後は、ボイラ加熱工程となる
。一方、チャンバ４側では、（お）のようにチャンバ真空電磁弁Ｖ２がＯＮして、チャン
バ排気管１５を通してチャンバ４内の空気が運転中である真空ポンプ９によって排気され
、予備真空工程となる。このチャンバ４側の予備真空工程であることは、（れ）のように
「チャンバ予備真空」の文字に対応配置のチャンバ工程表示ランプ２２が点灯する。
【００１９】
一方、ボイラ８側での注水は、所定時間またはボイラ８に設けた水位センサの検知によ
って、所定の注水が終了したとき、（り）のように注水電磁弁Ｖ５がＯＦＦすると共に、
（へ）のようにボイラ用電気ヒータ１４がＯＮして通電され、発熱してボイラ８内の水を
加熱し、ボイラ８内に高温蒸気が発生し、点線で示す（に）のようにボイラ８内の温度が
上昇する。このため、ボイラ８側はボイラ加熱工程となる。また、（そ）のように「ボイ
ラ加熱」の文字に対応配置のボイラ工程表示ランプ２３が点灯する。
【００２０】
そしてＴ４時点で、（お）のようにチャンバ真空電磁弁Ｖ２がＯＦＦし、（か）のよう
に真空ポンプ９がＯＦＦ（非通電にて運転停止）する。一方、（ち）のように蒸気投入用
電磁弁Ｖ６がＯＮし、ボイラ８内の高温蒸気が、蒸気供給管１３を通ってチャンバ４へ供
給され、実線で示す（は）のようにチャンバ４内の温度が上昇する。このため、チャンバ
４側はチャンバ加熱工程となる。
【００２１】
このチャンバ４側では、チャンバ４内が１０５℃〜１１５℃のように所定の高温蒸気の
雰囲気となるようにするために、温度センサ１８の温度検出に基づき、（お）のようにチ
ャンバ真空電磁弁Ｖ２を間歇的にＯＮし、これと同期して（か）のように真空ポンプ９を
間歇的にＯＮし、真空ポンプ９によってチャンバ排気管１５を通してチャンバ４内の空気
を排気する。一方、ボイラ８側では、（へ）のようにボイラ用電気ヒータ１４が連続通電
となり、また、（ち）のように蒸気投入用電磁弁Ｖ６は真空ポンプ９のＯＮ時にはＯＦＦ
する逆関係にて、ＯＮ・ＯＦＦが行われる。この一連の制御によって、（は）のようにチ
ャンバ４内の飽和蒸気度を上げる。
【００２２】
このチャンバ加熱工程及びボイラ加熱工程では、（れ）のように「チャンバ加熱」の文
字に対応配置のチャンバ工程表示ランプ２２が点灯する。また、（た）のようにデジタル
表示２１にチャンバ４内の温度が数字表示される。なお、（そ）のように「ボイラ加熱」
の文字に対応配置のボイラ工程表示ランプ２３は点灯した状態である。
【００２３】
このボイラ加熱工程及びチャンバ加熱工程は、チャンバ４内の温度が所定温度になるま
で行なわれる。このボイラ加熱工程及びチャンバ加熱工程の終了のＴ５時点で、チャンバ
４側では滅菌工程が開始され、（れ）のように「滅菌」の文字に対応配置のチャンバ工程
表示ランプ２２が点灯する。また、（つ）のように滅菌時間のカウント状態を表示する滅
菌タイマセグメント２４が、点滅表示する。
【００２４】
滅菌工程時間は、制御手段１１のプログラムされた時間である。チャンバ４内が所定の
高温高圧状態で滅菌工程が行われるようにするために、滅菌工程に移行する前に、ボイラ
加熱工程及びチャンバ加熱工程の終了近傍から、（へ）のようにボイラ用電気ヒータ１４
をＯＮ状態にして、ボイラ８内が飽和蒸気となるように、例えば１３５℃のような高温蒸
気を発生させると共に、これと同期して（ち）のように蒸気投入用電磁弁Ｖ６をＯＮして
、チャンバ４内にこの高温蒸気を注入して、チャンバ４内が例えば１３５℃のような高温
高圧蒸気の飽和蒸気の状態とする。
【００２５】
滅菌工程はＴ６時点で終了し、（い）のようにチャンバ側工程は、排気工程及び乾燥工
程へ順次移行する。またボイラ８側工程は、スタンバイ状態となる。Ｔ６時点で（よ）の
ようにブザーがピーと鳴り排気工程が開始し、（へ）のようにボイラ用電気ヒータ１４を
ＯＦＦ状態とし、また、（ち）のように蒸気投入用電磁弁Ｖ６をＯＦＦし、（ぬ）のよう
に排気用電磁弁Ｖ４が一定時間ＯＮして、チャンバ４内の高温蒸気を排気管２８から逆止
弁を通り、貯水タンク１０内の水に浸かった冷却パイプ２９を通って排気する。排気工程
は、Ｔ６時点からＴ７時点まで所定時間行われ、（れ）のように「排気」の文字に対応配
置のチャンバ工程表示ランプ２２が点灯する。また、Ｔ６時点で、（そ）のように「ボイ
ラ加熱」の文字に対応配置のボイラ工程表示ランプ２３は消灯し、（つ）のように滅菌タ
イマセグメント２４の表示は消える。（た）のようにデジタル表示２１にチャンバ４内の
温度の数字表示が継続している。
【００２６】
排気工程はＴ７時点で終了し、（い）のようにチャンバ側工程は乾燥工程へ移行する。
乾燥工程は、制御手段１１によって、（へ）のようにボイラ用電気ヒータ１４は、ＯＦＦ
する。また（と）のように制御手段１１によって、乾燥ヒータ５に間歇通電してチャンバ
４の加熱を行う。これと共に、（お）のようにチャンバ真空電磁弁Ｖ２を一定時間ＯＮし
、これと同期して（か）のように真空ポンプ９を一定時間ＯＮする。この真空ポンプ９の
ＯＮ期間中の一定時間、（る）のように途中で吸気電磁弁Ｖ３が所定時間ＯＮし、エアフ
ィルタ及び逆止弁を備えた吸気管２７を通って、チャンバ４内へ外気が導入される。この
ため、真空ポンプ９によってチャンバ排気管１５を通してチャンバ４内の空気を排気する
と共に、チャンバ４内へ外気を導入して、被滅菌物３やチャンバ４の内面を乾燥処理する
乾燥工程が行なわれる。また、（た）のようにデジタル表示２１に乾燥残時間の残り時間
を順次表示し、（れ）のように「乾燥」の文字に対応配置のチャンバ工程表示ランプ２２
が点灯する。
【００２７】
乾燥工程はＴ８時点で終了し、（よ）のようにブザーが５回ピーと鳴り乾燥工程が終了
したことを報知すると共に、（れ）のように「完了」の文字に対応配置のチャンバ工程表
示ランプ２２が点滅する。また、乾燥工程の終了するＴ８時点の直前に（る）のように吸
気電磁弁Ｖ３が短時間ＯＮし、チャンバ４内へ外気を入れて真空状態のチャンバ４内の圧
力を若干上げる。蓋７はソレノイド式ロック装置によって閉じた状態を保持されているた
め、Ｔ９時点で蓋開キーＯＮによって、このソレノイドへ通電してロックを外す。そして
、（れ）のように「完了」の文字に対応配置のチャンバ工程表示ランプ２２が点滅する。
また、（る）のように吸気電磁弁Ｖ３が一定時間ＯＮし、チャンバ４内へ外気を入れて真
空状態のチャンバ４内の圧力を外気と同等にし、蓋７を開いて被滅菌物３をチャンバ４か
ら取り出すことができる状態とする。そして、Ｔ１０時点で操作パネル２０に配置したス
トップキーのＯＮによってチャンバ側工程が完了し、スタンバイ状態となり、（れ）のよ
うに「完了」の文字に対応配置のチャンバ工程表示ランプ２２が消灯する。このようにし
て、所定の省エネモードが終了し、滅菌モードの運転が終了する。ここで、蒸気滅菌器１
による滅菌動作を停止する場合は、電源スイッチＳＷをオフ（ＯＦＦ）操作する。
【００２８】
このように省エネモードでは、滅菌工程の終了にてボイラ８の電気ヒータ１４の通電を
ＯＦＦにし、排気・乾燥工程が終了する滅菌モードの運転終了まで、電気ヒータ１４の通
電をＯＦＦ状態としている。このため、被滅菌物の滅菌工程を１回行なうが、２回目を引
き続いて行わない場合には、省エネモードを選択することにより、滅菌工程の終了にてボ
イラ８は稼動休止状態となるため、電気ヒータ１４の消費電力軽減によって、省エネ効果
が期待できる。
【００２９】
次に、滅菌モードがスピードモードで行われる場合の動作を図３に基づき説明する。（
イ）にはチャンバ４側の工程を示しており、（ロ）にはボイラ８側の工程を示している。
操作に際しては、先ず、Ｔ１時点で電源スイッチＳＷをオン（ＯＮ）操作することにより
、（イ）（ロ）のようにスタンバイ状態となる。（ホ）のメインリレーは、制御手段１１
のメイン回路をＯＮ状態とするリレーを意味する。そして、（タ）のようにデジタル表示
２１に「スタンバイ」の文字表示がされる。この状態で、１回目の滅菌を行うために、被
滅菌物３をチャンバ４内に入れ、蓋７を閉じる。この状態で、Ｔ２時点でスピードモード
選択スイッチ２６をオン（ＯＮ）操作してスピードモードを選択した後、スタートスイッ
チＳＴをＯＮ操作することにより、滅菌モードがスピードモードで開始する。
【００３０】
この開始により、（ロ）のようにボイラ８側は、後に行う蒸気発生にてボイラ８内を飽
和蒸気とするために、ボイラ８内を真空とする予備真空工程となる。この予備真空工程で
は、（ヨ）のようにブザーがピピッと鳴り、且つ（ワ）のようにボイラ真空電磁弁Ｖ１が
ＯＮ（通電にて弁が開くこと、以下他の電磁弁も同じ））すると共に、（カ）のように真
空ポンプ９がＯＮ（通電にて運転）し、ボイラ排気管１６を通してボイラ８内の空気が排
気される。ボイラ８側の予備真空工程は、（ソ）のように「ボイラ予備真空」の文字に対
応配置のボイラ工程表示ランプ２３が点灯する。
【００３１】
そしてＴ３時点で、ボイラ８側は、上記予備真空工程が終了すると共に注水工程となる
。この注水工程では、（ワ）のようにボイラ真空電磁弁Ｖ１がＯＦＦ（非通電にて弁が閉
じること、以下他の電磁弁も同じ）すると共に、（リ）のように注水電磁弁Ｖ５が一定時
間ＯＮして貯水タンク１０の水が注水管１２を通ってボイラ８へ注水される。そして（リ
）のように注水電磁弁Ｖ５がＯＦＦしてこの注水が終了した後は、ボイラ加熱工程となる
。一方、チャンバ４側では、（オ）のようにチャンバ真空電磁弁Ｖ２がＯＮして、チャン
バ排気管１５を通してチャンバ４内の空気が運転中である真空ポンプ９によって排気され
、予備真空工程となる。このチャンバ４側の予備真空工程であることは、（レ）のように
「チャンバ予備真空」の文字に対応配置のチャンバ工程表示ランプ２２が点灯する。
【００３２】
一方、ボイラ８側での注水は、所定時間またはボイラ８に設けた水位センサの検知によ
って、所定の注水が終了したとき、（リ）のように注水電磁弁Ｖ５がＯＦＦすると共に、
（ヘ）のようにボイラ用電気ヒータ１４がＯＮして通電され、発熱してボイラ８内の水を
加熱し、ボイラ８内に高温蒸気が発生し、（ニ）のようにボイラ８内の温度が上昇する。
このため、ボイラ８側はボイラ加熱状態となる。また、（ソ）のように「ボイラ加熱」の
文字に対応配置のボイラ工程表示ランプ２３が点灯する。
【００３３】
そしてＴ４時点で、（オ）のようにチャンバ真空電磁弁Ｖ２がＯＦＦし、（カ）のよう
に真空ポンプ９がＯＦＦ（非通電にて運転停止）する。一方、（チ）のように蒸気投入用
電磁弁Ｖ６がＯＮし、ボイラ８内の高温蒸気が、蒸気供給管１３を通ってチャンバ４へ供
給され、（ハ）のようにチャンバ４内の温度が上昇する。このため、チャンバ４側はチャ
ンバ加熱工程となる。
【００３４】
このチャンバ４側では、チャンバ４内が所定の真空状態を保ち、１０５℃〜１１５℃の
ような所定の高温蒸気の雰囲気となるようにするために、温度センサ１８の温度検出に基
づき、（オ）のようにチャンバ真空電磁弁Ｖ２を間歇的にＯＮし、これと同期して（カ）
のように真空ポンプ９を間歇的にＯＮし、真空ポンプ９によってチャンバ排気管１５を通
してチャンバ４内の空気を排気する。一方、ボイラ８側では、このＯＮ時にはＯＦＦする
逆関係にて、（ヘ）のようにボイラ用電気ヒータ１４が連続通電となり、また、（チ）の
ように蒸気投入用電磁弁Ｖ６は真空ポンプ９のＯＮ時にはＯＦＦする逆関係にて、ＯＮ・
ＯＦＦが行なわれ、この一連の制御によって、（ハ）のようにチャンバ４内の飽和蒸気度
を上げる。
【００３５】
このチャンバ加熱工程及びボイラ加熱工程では、（レ）のように「チャンバ加熱」の文
字に対応配置のチャンバ工程表示ランプ２２が点灯する。また、（タ）のようにデジタル
表示２１にチャンバ４内の温度が数字表示される。なお、（ソ）のように「ボイラ加熱」
の文字に対応配置のボイラ工程表示ランプ２３は点灯した状態である。
【００３６】
このボイラ加熱工程及びチャンバ加熱工程は、チャンバ４内の温度が所定温度になるま
で行なわれる。このボイラ加熱工程及びチャンバ加熱工程の終了のＴ５時点で、チャンバ
４側では滅菌工程が開始され、（レ）のように「滅菌」の文字に対応配置のチャンバ工程
表示ランプ２２が点灯する。また、（ツ）のように滅菌時間のカウント状態を表示する滅
菌タイマセグメント２４が、点滅表示する。
【００３７】
滅菌工程時間は、制御手段１１のプログラムされた時間である。チャンバ４内が所定の
高温状態で滅菌工程が行われるようにするために、滅菌工程に移行する前に、ボイラ加熱
工程及びチャンバ加熱工程の終了近傍から、（ヘ）のようにボイラ用電気ヒータ１４をＯ
Ｎ状態にして、ボイラ８内が飽和蒸気となるように、例えば１３５℃のような高温蒸気を
発生させると共に、これと同期して（チ）のように蒸気投入用電磁弁Ｖ６をＯＮして、チ
ャンバ４内にこの高温蒸気を注入して、チャンバ４内が例えば１３５℃のような高温の飽
和蒸気の状態とする。
【００３８】
滅菌工程はＴ６時点で終了し、（イ）のようにチャンバ側工程は、排気工程及び乾燥工
程へ順次移行する。Ｔ６時点で（ヨ）のようにブザーがピーと鳴り排気工程が開始し、（
ロ）のボイラ８側工程では、ボイラ加熱工程が継続しており、（ヘ）のようにボイラ用電
気ヒータ１４が一定時間間隔でＯＮ・ＯＦＦを繰り返すように制御手段１１が制御し、ボ
イラ用電気ヒータ１４が所定発熱状態に制御され、ボイラ８内が点線のように所定温度に
維持される。また、（チ）のように蒸気投入用電磁弁Ｖ６をＯＦＦし、（ヌ）のように排
気用電磁弁Ｖ４が一定時間ＯＮして、チャンバ４内の高温蒸気を排気管２８から逆止弁を
通り、貯水タンク１０内の水に浸かった冷却パイプ２９を通って排気する。排気工程は、
Ｔ６時点からＴ７時点まで所定時間行われ、（レ）のように「排気」の文字に対応配置の
チャンバ工程表示ランプ２２が点灯する。また、Ｔ６時点で、（ソ）のように「ボイラ加
熱」の文字に対応配置のボイラ工程表示ランプ２３は点灯を継続し、（ツ）のように滅菌
タイマセグメント２４の表示は消える。（タ）のようにデジタル表示２１にチャンバ４内
の温度の数字表示が継続している。
【００３９】
排気工程はＴ７時点で終了し、（イ）のようにチャンバ側工程は乾燥工程へ移行する。
乾燥工程は、制御手段１１によって、（ヘ）のようにボイラ用電気ヒータ１４は、一定時
間間隔でＯＮ・ＯＦＦを繰り返すように制御されている。また（ト）のように制御手段１
１によって、乾燥ヒータ５に間歇通電してチャンバ４の加熱を行う。これと共に、（オ）
のようにチャンバ真空電磁弁Ｖ２を一定時間ＯＮし、これと同期して（カ）のように真空
ポンプ９を一定時間ＯＮする。この真空ポンプ９のＯＮ期間中の一定時間、（ル）のよう
に途中で吸気電磁弁Ｖ３が所定時間ＯＮし、エアフィルタ及び逆止弁を備えた吸気管２７
を通って、チャンバ４内へ外気が導入される。このため、真空ポンプ９によってチャンバ
排気管１５を通してチャンバ４内の空気を排気すると共に、チャンバ４内へ外気を導入し
て、被滅菌物３やチャンバ４の内面を乾燥処理する乾燥工程が行なわれる。また、（タ）
のようにデジタル表示２１に乾燥残時間の残り時間を順次表示し、（レ）のように「乾燥
」の文字に対応配置のチャンバ工程表示ランプ２２が点灯する。（ソ）のように「ボイラ
加熱」の文字に対応配置のボイラ工程表示ランプ２３は点灯を継続している。
【００４０】
乾燥工程はＴ８時点で終了し、（ヨ）のようにブザーが５回ピーと鳴り乾燥工程が終了
したことを報知すると共に、（レ）のように「完了」の文字に対応配置のチャンバ工程表
示ランプ２２が点滅する。また、乾燥工程の終了するＴ８時点の直前に（ル）のように吸
気電磁弁Ｖ３が短時間ＯＮし、チャンバ４内へ外気を入れて真空状態のチャンバ４内の圧
力を若干上げる。蓋７はソレノイド式ロック装置によって閉じた状態を保持されているた
め、Ｔ９時点で蓋開キーＯＮによって、このソレノイドへ通電してロックを外す。そして
、（レ）のように「完了」の文字に対応配置のチャンバ工程表示ランプ２２が点滅する。
また、（ル）のように吸気電磁弁Ｖ３が一定時間ＯＮし、チャンバ４内へ外気を入れて真
空状態のチャンバ４内の圧力を外気と同等にし、蓋７を開いて被滅菌物３をチャンバ４か
ら取り出すことができる状態とする。そして、Ｔ１０時点で操作パネル２０に配置したス
トップキーのＯＮによってチャンバ側工程が完了し、スタンバイ状態となり、（レ）のよ
うに「完了」の文字に対応配置のチャンバ工程表示ランプ２２が消灯する。
【００４１】
上記のようにして１回目の滅菌モードが終了する。乾燥工程が終了したＴ８時点以降、
１回目の滅菌モードが終了してスタンバイ状態になっても、制御手段１１によって、（ヘ
）のようにボイラ用電気ヒータ１４は、一定時間間隔でＯＮ・ＯＦＦを繰り返すように制
御されている。これによって、上記のようにして１回目の滅菌モードが終了するが、引き
続いて他の被滅菌物３をチャンバ４内に入れて、２回目の滅菌を行うことを待機している
。
【００４２】
このスタンバイ状態で、２回目の滅菌を行うために、他の被滅菌物３をチャンバ４内に
入れ、蓋７を閉じる。この状態で、Ｔ１１時点において上記同様に、スピードモード選択
スイッチ２６をオン（ＯＮ）操作してスピードモードを選択した後、スタートスイッチＳ
ＴのＯＮ操作にて、２回目の滅菌モードがスピードモードで開始する。
【００４３】
この開始時には、（ヘ）のようにボイラ用電気ヒータ１４は、一定時間間隔でＯＮ・Ｏ
ＦＦを繰り返すように制御されているため、上記Ｔ２〜Ｔ３のボイラ８側の予備真空工程
は省略され、上記Ｔ３時点と同様の開始となる。２回目の滅菌モードの開始により、上記
１回目の滅菌モードと同様に、チャンバ４側では、（オ）のようにチャンバ真空電磁弁Ｖ
２がＯＮすると共に、（カ）のように真空ポンプ９のＯＮにより、チャンバ排気管１５を
通してチャンバ４内の空気が真空ポンプ９によって排気され、予備真空工程となる。この
チャンバ４側の予備真空工程では、（ル）のように途中で吸気電磁弁Ｖ３が所定時間ＯＮ
し、エアフィルタ及び逆止弁を備えた吸気管２７を通って、チャンバ４内へ外気を導入す
る。このチャンバ４側の予備真空工程は、（レ）のように「チャンバ予備真空」の文字に
対応配置のチャンバ工程表示ランプ２２が点灯する。また（ソ）のように、「ボイラ加熱
」の文字に対応配置のボイラ工程表示ランプ２３は点灯を継続している。
【００４４】
そしてＴ１２時点でチャンバ４側の予備真空工程が終了し、チャンバ４側はチャンバ加
熱工程となる。チャンバ４側では、チャンバ４内が所定の高温蒸気の雰囲気となるように
するために、温度センサ１８の温度検出に基づき、制御手段１１の動作によって、（オ）
のようにチャンバ真空電磁弁Ｖ２を間歇的にＯＮし、これと同期して（カ）のように真空
ポンプ９を間歇的にＯＮし、真空ポンプ９によってチャンバ排気管１５を通してチャンバ
４内の空気を排気する。一方、ボイラ８側では、（ヘ）のようにボイラ用電気ヒータ１４
が連続通電となり、また、（チ）のように蒸気投入用電磁弁Ｖ６は真空ポンプ９のＯＮ時
にはＯＦＦする逆関係にて、ＯＮ・ＯＦＦが行われる。この一連の制御によって、（ハ）
のようにチャンバ４内の飽和蒸気度を上げる。
【００４５】
このチャンバ加熱工程及びボイラ加熱工程では、（レ）のように「チャンバ加熱」の文
字に対応配置のチャンバ工程表示ランプ２２が点灯する。また、チャンバ４内が所定温度
に上昇した状態から、（タ）のようにデジタル表示２１にチャンバ４内の温度が数字表示
される。なお、（ソ）のように「ボイラ加熱」の文字に対応配置のボイラ工程表示ランプ
２３は点灯した状態である。
【００４６】
このボイラ加熱工程及びチャンバ加熱工程は、チャンバ４内の温度が所定温度になるま
で行なわれる。このボイラ加熱工程及びチャンバ加熱工程の終了のＴ１３時点で、チャン
バ４側では滅菌工程が開始され、上記１回目の滅菌モードと同様に、「滅菌」の文字に対
応配置のチャンバ工程表示ランプ２２が点灯し、滅菌時間のカウント状態を表示する滅菌
タイマセグメント２４が、点滅表示する。
【００４７】
滅菌工程時間は、制御手段１１のプログラムされた時間である。チャンバ４内が所定の
高温状態で滅菌工程が行われるようにするために、滅菌工程に移行する前に、ボイラ加熱
工程及びチャンバ加熱工程の終了近傍から、（ヘ）のようにボイラ用電気ヒータ１４をＯ
Ｎ状態にして、ボイラ８内が飽和蒸気となるように、例えば１３５℃のような高温蒸気を
発生させると共に、これと同期して（チ）のように蒸気投入用電磁弁Ｖ６をＯＮして、チ
ャンバ４内にこの高温蒸気を注入して、チャンバ４内が例えば１３５℃のような高温の飽
和蒸気の状態とする。
【００４８】
このような滅菌工程は、上記１回目の滅菌モードと同様であり、この滅菌工程の終了に
て、チャンバ側工程は、排気工程及び乾燥工程へ順次移行し、上記１回目の滅菌モードと
同様に排気工程及び乾燥工程が実行された後、上記１回目の滅菌モードのＴ８〜Ｔ１０の
工程を経て、スタンバイ状態となる。この状態で、３回目の滅菌モードを実行せず、蒸気
滅菌器１による滅菌動作を停止する場合は、電源スイッチＳＷをオフ（ＯＦＦ）操作する
。
【００４９】
このようにスピードモードでは、１回目の滅菌工程の終了では、ボイラ８の電気ヒータ
１４の通電をＯＮ・ＯＦＦ制御して、ボイラ８は稼動状態に維持しつつ、１回目の滅菌工
程が引き続いて実行可能としている。このため、被滅菌物の滅菌工程を連続して行なう場
合には、スピードモードを選択することにより、引き続いて次の滅菌モードが実行されて
も、チャンバ４内を所定の高温蒸気下に保つことができることとなり、連続してすばやく
滅菌工程を実行できるものとなる。
【００５０】
上記において、加熱工程、滅菌工程、排気工程、乾燥工程等における温度や時間等はこ
れらに限定されるものではなく、チャンバ４の容積や被滅菌物の種類に応じて適宜設定す
るものである。
【産業上の利用可能性】
【００５１】
本発明は、上記実施例に限定されず、縦型チャンバ方式の蒸気滅菌器にも適用できるも
のであり、本発明の技術範囲において種々の形態を包含するものである。
【符号の説明】
【００５２】
１・・・・・蒸気滅菌器
２・・・・・チャンバの開口
３・・・・・被滅菌物
４・・・・・チャンバ
５・・・・・乾燥ヒータ
７・・・・・蓋
８・・・・・ボイラ
９・・・・・真空ポンプ
１０・・・・貯水タンク
１１・・・・制御手段
２０・・・・操作パネル
２１・・・・デジタル表示
２２・・・・チャンバ工程表示ランプ
２３・・・・ボイラ工程表示ランプ
２４・・・・滅菌タイマセグメント
２５・・・・省エネモード選択スイッチ
２６・・・・スピードモード選択スイッチ
ＳＴ・・・・スタートスイッチ
ＳＷ・・・・電源スイッチ
【図１】
2012050505.tif 000003
【図２】
2012050505.tif 000004
【図３】
2012050505.tif 000005
【図４】
2012050505.tif 000006